(57)【要約】  本発明の課題は、デンタルフロスを任意の複数本を並べて張ることができ、張りに緩みが生じにくいデンタルフロスホルダー、及びデンタルフロスの取り付け方法を提供することである。本発明のデンタルフロスの取り付け方法は下記手順を有する。手順１：スリット１１に前記デンタルフロス３の始めをかませて止める。手順２：このスリットに止められたデンタルフロスを案内溝１５に沿って、一方の枝部７の頂部を通り縦全周に巻く。手順３：この案内溝に巻いたデンタルフロスを、一方の枝部の第１巻付用溝１７に巻き付ける。手順４：この第１巻付用溝に巻き付けたデンタルフロスを、二股部５に張り渡した後に、他方の枝部の第２巻付用溝１９に巻き付ける。手順５：この第２巻付用溝に巻き付けられたデンタルフロスを、二股部の略中央の係止用溝２１に係止させる。手順６：係止用溝に係止したデンタルフロスの終わりを、スリット１１にかませて止める。
2009072277.tif 000002
【特許請求の範囲】
【請求項１】
歯科衛生のための歯間清掃具であるデンタルフロスを取り付けて使用するためのフロスホルダーにおいて、前記デンタルフロスが張り渡されるための二股部と、この二股部を構成する２本の枝部と、前記二股部に連続し使用時に手で保持されるホルダーと、前記２本の枝部のうちの少なくとも一方の枝部の基部に設けられ、前記デンタルフロスの始めと終わりを止めるためのスリットと、このスリットに止められた前記デンタルフロスを案内するため、前記一方の枝部に沿ってこの枝部の頂部を通る縦全周線の少なくとも一部に形成される案内溝と、この案内溝を通った前記デンタルフロスを巻き付けるため、前記一方の枝部の先端の周囲に形成される複数の第１巻付用溝と、この第１巻付用溝に巻き付けた前記デンタルフロスを、前記二股部に張り渡した後に、他方の枝部に巻き付けるために、その枝部の先端の周囲に形成される複数の第２巻付用溝と、前記第２巻付用溝に巻き付けられた前記デンタルフロスが係止されるために、前記二股部の略中央の外側に形成される係止用溝と、を有することを特徴とするデンタルフロスホルダー。
【請求項２】
前記案内溝が、前記一方の枝部に沿ってこの枝部の頂部を通り縦全周にわたって形成される請求項１に記載のデンタルクロスホルダー。
【請求項３】
請求項２に記載のデンタルフロスホルダーにデンタルフロスを取り付ける方法であって、前記スリットに前記デンタルフロスの始めをかませて止める手順１と、このスリットに止められた前記デンタルフロスを前記案内溝に沿って、前記一方の枝部の頂部を通り縦全周に巻く手順２と、この案内溝に巻いた前記デンタルフロスを、前記一方の枝部の第１巻付用溝に巻き付ける手順３と、この第１巻付用溝に巻き付けた前記デンタルフロスを、前記二股部に張り渡した後に、他方の枝部の第２巻付用溝に巻き付ける手順４と、この第２巻付用溝に巻き付けられた前記デンタルフロスを、前記二股部の略中央の前記係止用溝に係止させる手順５と、前記係止用溝に係止した前記デンタルフロスの終わりを、前記スリットにかませて止める手順６と、を有することを特徴とするデンタルフロスの取り付け方法。
【請求項４】
前記複数の第１巻付用溝及び前記複数の第２巻付用溝の数は、それぞれ３つであることを特徴とする請求項１または２に記載のデンタルフロスホルダー。
【請求項５】
前記係止用溝が前記二股部の略中央の外側に複数個形成される、請求項１、２、４のいずれかに記載のデンタルフロスホルダー。
【請求項６】
前記二股部の略中央の外側に形成された一組の係止用溝を少なくとも有し、該一組の係止用溝は前記二股部の表面から深くなるにつれて次第に近づく２つの溝からなる、請求項１、２、４のいずれかに記載のデンタルフロスホルダー。
【請求項７】
前記第１巻付用溝に巻きつけるデンタルフロスが前記案内溝を通ったデンタルフロスを押さえつけることが出来る程度に、第１巻付用溝および案内溝の深さが同程度である、請求項１、２、４〜６のいずれかに記載のデンタルフロスホルダー。
【請求項８】
前記二股部およびこの二股部を構成する２本の枝部には突起物が形成されていない、請求項１、２、４〜７のいずれかに記載のデンタルフロスホルダー。
【請求項９】
請求項４に記載のデンタルフロスホルダーにデンタルフロスを取り付ける方法であって、前記スリットに前記デンタルフロスの始めをかませて止める手順１と、このスリットに止められた前記デンタルフロスを前記案内溝に沿って、前記一方の枝部の頂部を通り縦全周に巻く手順２と、この案内溝に巻いた前記デンタルフロスを、前記一方の枝部の第１巻付用溝に巻き付ける手順３と、この第１巻付用溝に巻き付けた前記デンタルフロスを、前記二股部に張り渡した後に、他方の枝部の第２巻付用溝に巻き付ける手順４と、この第２巻付用溝に巻き付けられた前記デンタルフロスを、前記二股部の略中央の前記係止用溝に係止させる手順５と、この係止用溝に係止した前記デンタルフロスを、再度、巻き付けがなされていない他の巻付用溝を使用して、前記手順３、手順４、手順５を行うことを１回、または２回繰り返す手順５−２と、前記係止用溝に係止した前記デンタルフロスの終わりを、前記スリットにかませて止める手順６と、を有することを特徴とするデンタルフロスの取り付け方法。
【請求項１０】
請求項２または４に記載のデンタルフロスホルダーにデンタルフロスを取り付ける方法であって、前記スリットに前記デンタルフロスの始めをかませて止める手順１と、このスリットに止められた前記デンタルフロスを前記案内溝に沿って、前記一方の枝部の頂部を通り縦全周に巻く手順２と、この案内溝に巻いた前記デンタルフロスを、前記一方の枝部の第１巻付用溝に巻き付ける手順３と、この第１巻付用溝に巻き付けた前記デンタルフロスを、前記二股部に張り渡した後に、他方の枝部の第２巻付用溝に巻き付ける手順４と、この第２巻付用溝に巻き付けられた前記デンタルフロスを、前記二股部の略中央の前記係止用溝に係止させる手順５と、この係止用溝に係止した前記デンタルフロスを、再度、前記巻き付けが既になされている巻付用溝を使用して、前記手順３、手順４、手順５を行うことを繰り返す手順５−２と、前記係止用溝に係止した前記デンタルフロスの終わりを、前記スリットにかませて止める手順６と、を有することを特徴とするデンタルフロスの取り付け方法。
【発明の詳細な説明】
【技術分野】
【０００１】
この発明は、歯科衛生のための歯間清掃具であるデンタルフロスを取り付けて使用するためのフロスホルダーの構造、及び該フロスホルダーへのデンタルフロスの取り付け方法に関する。
【背景技術】
【０００２】
図８に示すように、市販のデンタルフロスホルダー１０１にはデンタルフロス１０３を二股部１０５に一体的に固定したものがある。これでは、消耗品であるデンタルフロスを取り替えることができず、全てを廃棄しなければならず不経済である。
これに対し、特許文献１〜８には、使用者がデンタルフロスを取り付けて使用するためのフロスホルダーが提案されている。
【特許文献１】特開２００６−０５１３２５号公報
【特許文献２】特開２０００−２４５７５０号公報
【特許文献３】特開２００３−１６４４７１号公報
【特許文献４】実開平５−３５１１２号公報
【特許文献５】実開平２−８２３１９号公報
【特許文献６】実開昭６０−９７１１３号公報
【特許文献７】特開２００７−１３０４１８号公報
【特許文献８】特開２０００−１５７５６１号公報
【発明の開示】
【発明が解決しようとする課題】
【０００３】
しかしながら、特許文献１、２のものは、デンタルフロスを１本しか張ることができず、任意の複数本を並べて張ることができない。
特許文献３のものは、デンタルフロスを止めるための切り込みは複数が形成されているが、これはデンタルフロスの始めと終わりをしっかりと止めるためのものと考えられる。これらの切込みを、複数本のデンタルフロスを張るために用いると、各デンタルフロスの張りに緩みが生じてしまうと考えられる。やはりデンタルフロスは１本しか張ることができず、任意の複数本を並べて張ることができないと、考えられる。
特許文献４〜８のものも、デンタルフロスを緩ませずに張ることが困難であったり、口内を傷つけるおそれのある突起があったり、貫通孔を設けるなど複雑な構造を要したりする。【０００４】
この発明は、以上の問題点を解決するために、デンタルフロスを任意の複数本を並べて張ることができ、張りに緩みが生じにくいデンタルフロスホルダー、及びデンタルフロスの取り付け方法を提供することを目的とする。
【課題を解決するための手段】
【０００５】
以上の課題を解決するために本発明者は以下の発明を完成した。
（１）歯科衛生のための歯間清掃具であるデンタルフロスを取り付けて使用するためのフロスホルダーにおいて、前記デンタルフロスが張り渡されるための二股部と、この二股部を構成する２本の枝部と、前記二股部に連続し使用時に手で保持されるホルダーと、前記２本の枝部のうちの少なくとも一方の枝部の基部に設けられ、前記デンタルフロスの始めと終わりを止めるためのスリットと、このスリットに止められた前記デンタルフロスを案内するため、前記一方の枝部に沿ってこの枝部の頂部を通る縦全周線の少なくとも一部に形成される案内溝と、この案内溝を通った前記デンタルフロスを巻き付けるため、前記一方の枝部の先端の周囲に形成される複数の第１巻付用溝と、この第１巻付用溝に巻き付けた前記デンタルフロスを、前記二股部に張り渡した後に、他方の枝部に巻き付けるために、その枝部の先端の周囲に形成される複数の第２巻付用溝と、前記第２巻付用溝に巻き付けられた前記デンタルフロスが係止されるために、前記二股部の略中央の外側に形成される係止用溝と、を有することを特徴とするデンタルフロスホルダー。
（２）前記案内溝が、前記一方の枝部に沿ってこの枝部の頂部を通り縦全周にわたって形成される（１）に記載のデンタルクロスホルダー。
（３）（１）又は（２）に記載のデンタルフロスホルダーにデンタルフロスを取り付ける方法であって、前記スリットに前記デンタルフロスの始めをかませて止める手順１と、このスリットに止められた前記デンタルフロスを前記案内溝に沿って、前記一方の枝部の頂部を通り縦全周に巻く手順２と、この案内溝に巻いた前記デンタルフロスを、前記一方の枝部の第１巻付用溝に巻き付ける手順３と、この第１巻付用溝に巻き付けた前記デンタルフロスを、前記二股部に張り渡した後に、他方の枝部の第２巻付用溝に巻き付ける手順４と、この第２巻付用溝に巻き付けられた前記デンタルフロスを、前記二股部の略中央の前記係止用溝に係止させる手順５と、前記係止用溝に係止した前記デンタルフロスの終わりを、前記スリットにかませて止める手順６と、を有することを特徴とするデンタルフロスの取り付け方法。
（４）前記複数の第１巻付用溝及び前記複数の第２巻付用溝の数は、それぞれ３つであることを特徴とする（１）又は（２）に記載のデンタルフロスホルダー。
（５）前記係止用溝が前記二股部の略中央の外側に複数個形成される、（１）、（２）、（４）のいずれかに記載のデンタルフロスホルダー。
（６）前記二股部の略中央の外側に形成された一組の係止用溝を少なくとも有し、該一組の係止用溝は前記二股部の表面から深くなるにつれて次第に近づく２つの溝からなる、（１）、（２）、（４）のいずれかに記載のデンタルフロスホルダー。
（７）前記第１巻付用溝に巻きつけるデンタルフロスが前記案内溝を通ったデンタルフロスを押さえつけることが出来る程度に、第１巻付用溝および案内溝の深さが同程度である、（１）、（２）、（４）〜（６）のいずれかに記載のデンタルフロスホルダー。
（８）前記二股部およびこの二股部を構成する２本の枝部には突起物が形成されていない、（１）、（２）、（４）〜（７）のいずれかに記載のデンタルフロスホルダー。
（９）（１）、（２）、（４）〜（７）に記載のデンタルフロスホルダーにデンタルフロスを取り付ける方法であって、前記スリットに前記デンタルフロスの始めをかませて止める手順１と、このスリットに止められた前記デンタルフロスを前記案内溝に沿って、前記一方の枝部の頂部を通り縦全周に巻く手順２と、この案内溝に巻いた前記デンタルフロスを、前記一方の枝部の第１巻付用溝に巻き付ける手順３と、この第１巻付用溝に巻き付けた前記デンタルフロスを、前記二股部に張り渡した後に、他方の枝部の第２巻付用溝に巻き付ける手順４と、この第２巻付用溝に巻き付けられた前記デンタルフロスを、前記二股部の略中央の前記係止用溝に係止させる手順５と、この係止用溝に係止した前記デンタルフロスを、再度、巻き付けがなされていない他の巻付用溝を使用して、前記手順３、手順４、手順５を行うことを１回、または２回繰り返す手順５−２と、前記係止用溝に係止した前記デンタルフロスの終わりを、前記スリットにかませて止める手順６と、を有することを特徴とするデンタルフロスの取り付け方法。
（１０）（１）、（２）、（４）〜（７）に記載のデンタルフロスホルダーにデンタルフロスを取り付ける方法であって、前記スリットに前記デンタルフロスの始めをかませて止める手順１と、このスリットに止められた前記デンタルフロスを前記案内溝に沿って、前記一方の枝部の頂部を通り縦全周に巻く手順２と、この案内溝に巻いた前記デンタルフロスを、前記一方の枝部の第１巻付用溝に巻き付ける手順３と、この第１巻付用溝に巻き付けた前記デンタルフロスを、前記二股部に張り渡した後に、他方の枝部の第２巻付用溝に巻き付ける手順４と、この第２巻付用溝に巻き付けられた前記デンタルフロスを、前記二股部の略中央の前記係止用溝に係止させる手順５と、この係止用溝に係止した前記デンタルフロスを、再度、前記巻き付けが既になされている巻付用溝を使用して、前記手順３、手順４、手順５を行うことを繰り返す手順５−２と、前記係止用溝に係止した前記デンタルフロスの終わりを、前記スリットにかませて止める手順６と、を有することを特徴とするデンタルフロスの取り付け方法。
【発明の効果】
【０００６】
本発明によれば、第１巻付用溝及び第２巻付用溝は各々複数が形成され、デンタルフロスを任意の複数本を並べて張ることができる。
のみならず、スリットにデンタルフロスの始めをかませて止め、デンタルフロスを、案内溝に沿って一方の枝部の頂部を通り縦全周に巻き、この一方の枝部の第１巻付用溝に巻き付けるので、デンタルフロスの始めは、スリットにかまされた上に、案内溝の中の部分が、第１巻付用溝に巻き付けられた部分により、押さえ込まれるので、より強固に止められる。また、二股部に張り渡された後のデンタルフロスは、二股部の略中央の係止用溝に係止されることで、一度方向を変えた後に、デンタルフロスの終わりを、スリットにかませて止められるので、より強固に止められる。よって、張りに緩みが生じにくい。【０００７】
本発明の好適な態様によれば、さらに、デンタルフロスは最大３本を並べて張ることができる。
本発明の別の好適な態様によれば、さらに、両枝部間に複数本のデンタルフロスを枝部と平行な同一平面上に揃えて張ることができ、歯間への挿入を極めて容易にすることができる。
本発明のさらに別の好適な態様によれば、さらに、デンタルフロスは重ねて太く張ることができ、歯の間の大きな隙間に、対応できる。
【図面の簡単な説明】
【０００８】
【図１】この発明の一実施形態を示すデンタルフロスホルダーの構造を示すものであり、（Ａ）は側面図、（Ｂ）は平面図、（Ｃ）は底面図、（Ｄ）は正面図である。
【図２】この発明の一実施形態を示すデンタルフロスの取り付け方法により１本張りとする手順を示すもので、（Ａ）〜（Ｈ）は側面図の一部を拡大して示す手順図であり、（ａ）〜（ｈ）は反対側の側面図の一部を拡大して示す手順図である。
【図３】この発明の一実施形態を示すデンタルフロスの取り付け方法により２本張りとする手順を示すもので、（Ａ）〜（Ｈ）は側面図の一部を拡大して示す手順図であり、（ａ）〜（ｈ）は反対側の側面図の一部を拡大して示す手順図である。
【図４】この発明の一実施形態を示すデンタルフロスの取り付け方法により３本張りとする手順を示すもので、（Ａ）〜（Ｈ）は側面図の一部を拡大して示す手順図であり、（ａ）〜（ｈ）は反対側の側面図の一部を拡大して示す手順図である。
【図５】この発明の一実施形態を示すデンタルフロスの取り付け方法により二重張りとする手順を示すもので、（Ａ）〜（Ｈ）は側面図の一部を拡大して示す手順図であり、（ａ）〜（ｈ）は反対側の側面図の一部を拡大して示す手順図である。
【図６】この発明の一実施形態を示すデンタルフロスの取り付け方法により、１本張りで、右利きの人が下顎の歯の掃除をするのに便利なようにデンタルフロスを傾けて張る手順を示すもので、図１中の符号に対応して、（Ｃ）〜（Ｈ）は側面図の一部を拡大して示す手順図であり、（ｃ）〜（ｈ）は反対側の側面図の一部を拡大して示す手順図である。
【図７】この発明の一実施形態を示すデンタルフロスの取り付け方法により、１本張りで、右利きの人が上顎の歯の掃除をするのに便利なようにデンタルフロスを傾けて張る手順を示すもので、図１中の符号に対応して、（Ｃ）（Ｄ）（Ｈ）は側面図の一部を拡大して示す手順図であり、（ｃ）（ｄ）（ｈ）は反対側の側面図の一部を拡大して示す手順図である。
【図８】従来の市販のデンタルフロスホルダーを示す側面図である。
【符号の説明】
【０００９】
１…フロスホルダー、３…デンタルフロス、５…二股部、７、８…枝部、９…ホルダー、１１…スリット、１３…切り込まれた溝、１５…案内溝、１７…第１巻付用溝、１９…第２巻付用溝、２１・・係止用溝。
【発明を実施するための最良の形態】
【００１０】
図面を参照しながら、本発明を詳述する。しかし、本発明は図示されたものに限定されるわけではない。
この発明の実施形態に係るデンタルフロスホルダーの一例を、図１に示す。【００１１】
［構造］
このフロスホルダー１は、合成樹脂製で、デンタルフロス３が張り渡されるための略Ｕ字状の二股部５を有する。この二股部５は２本の枝部７、８を有して構成される。二股部５に連続し使用時に手で保持されるホルダー９は、二股部５のＵ字状の基部中央に、Ｕ字状を２分する直線に直交する方向へ一体的に連続して設けられる。これにより、フロスホルダー１の全体形状は、略Ｆ字形状になる。【００１２】
２本の枝部７、８のうちの少なくとも一方の枝部７の基部に、デンタルフロス３の始めと終わりを止めるためのスリット１１が設けられる。このスリット１１は、枝部７の基部に連続するホルダー９の背側に、切り込まれた溝１３の奥から、さらに内部に向かって斜めに形成され、１から数本のデンタルフロス３をきつくかんで止める狭さを有する。【００１３】
このスリット１１の終端で止められたデンタルフロス３を案内するため、案内溝１５が形成される。この案内溝１５は、一方の枝部７の両側面に沿い、この枝部７の頂部を通り、好ましくは、縦全周に形成される。この案内溝１５は、枝部７の頂部を通る縦全周ではなく、該縦全周のうちの一部のみに形成されていてもよい。【００１４】
この一方の枝部７の先端の周囲には、複数、好ましくは３本のリング状の第１巻付用溝１７が所定の間隔で形成される。これらの第１巻付用溝１７は案内溝１５に直交する。
他方の枝部８の先端の周囲にも、複数、好ましくは３本のリング状の第２巻付用溝１９が所定の間隔で形成される。【００１５】
第１巻付用溝１７および案内溝１５の深さは同程度、具体的には深さの差が好ましくは２ｍｍ以下、より好ましくは１ｍｍ以下である。第１巻付用溝１７および案内溝１５の深さは同程度であることによって、第１巻付用溝１７に巻きつけるデンタルフロスが案内溝１５を通ったデンタルフロスを強く押さえつけることが出来るため、結果として、デンタルフロスが強く張られ、使用中に緩みにくくなる。【００１６】
二股部５の略中央の外側に係止用溝２１が形成される。
好ましくは、係止用溝２１は、二股部５の略中央の外側に複数個形成される。このように複数個形成されることで、デンタルフロスの張り方の選択肢が広がる。また、複数の係止用溝２１によって、デンタルフロスを伸長方向を変えることができ、このことは、使用し易くなるようにデンタルフロスを取り付けるために大いに有用である。なぜなら、枝部７と８との間にデンタルフロスを複数回、就中３回以上、張り渡すときに、張り渡された複数のデンタルフロスを枝部７，８と平行な同一平面上に揃えることができるからである。図１（Ａ）を参照しながら、より具体的に説明する。枝部７と８との間にデンタルフロスを張り渡すためには、枝部７と８の紙面手前側で張り渡すか、あるいは、枝部７と８の紙面奥側で張り渡すかのいずれかが現実的である。デンタルフロスを枝部７と８との間に複数回張り渡すときには、前記２通りの方法のいずれか一つの方法で毎回張り渡されるべきである。そのように、毎回同じ方法でデンタルフロスを張り渡すことによって、枝部７と８との間に張り渡された複数のデンタルフロスが枝部７，８と平行な一平面上に揃う。枝部７，８と平行な平面とは、枝部７，８の伸びる方向と略平行な平面であり、図１（Ａ）においては、その紙面と略平行な平面である。その結果、用時に、歯間へ複数張り渡されたデンタルフロスを容易に挿入することができる。このようなことを容易に実現するためには、デンタルフロスの伸長方向を取り付けの途中で変えることが重要である。二股部５の略中央の外側に複数個の係止溝２１が形成されることで、二股部５や枝部７，８に突起物が無くても上述した有利な効果が奏されるとともに、デンタルフロスを強く張ることが出来る。【００１７】
より好ましくは、図１に示されるように、この係止用溝は、ハの字に２つ２１Ａ，２１Ｂが一組で形成される。「ハの字」とは、日本語で「ha」と発音されるカタカナの文字である。具体的には、両係止用溝２１Ａ、２１Ｂは二股部５の表面から深くなるにつれて次第に近づくように形成されている。このような一組の係止用溝により、より強固にデンタルフロスを取り付けることが可能になるとともに、より容易に、デンタルフロスの伸長方向を容易に変えることができ、結果として、上述した、枝部７と８との間に張り渡された複数のデンタルフロスを枝部７，８と平行な同一平面上に揃えることがより容易に実現できる。【００１８】
好ましくは、二股部５および枝部７，８に突起物が無く、そのことによって、使用時に、口内清掃の妨げになることもなく、また、口内を傷つけるおそれが著しく減少する。ただし、デンタルフロスを伸ばす方向を変えるために突起物を敢えて設けてもよい。【００１９】
以下、このデンタルフロスホルダーへのデンタルフロスの取り付け方法を図面を参照しながら、説明する。ただし、以下は例示であって、本発明のデンタルフロスホルダーの使用方法を限定する趣旨ではない。【００２０】
［デンタルフロス３の取り付け方法］
（１本張り）
図２において、このデンタルフロスホルダー１にデンタルフロス３を取り付ける方法であって、デンタルフロス３を１本張る方法を説明する。この説明において、デンタルフロスホルダーの部分の名称と符号は、図１を参照されたい。【００２１】
手順１：図中（Ａ）（ａ）に示すように、デンタルフロス３の始めの部分を、切り込まれた溝１３の奥からスリット１１に入れる。そして、スリット１１の奥で、デンタルフロス３の始めをかませて止める。
手順２：図中（Ｂ）（ｂ）に示すように、このスリット１１に止められたデンタルフロス３は、さらに、案内溝１５に沿って、一方の枝部７の頂部を通り、この枝部７の縦全周に１周巻かれる。
手順３：図中（Ｃ）（ｃ）に示すように、この案内溝１５に巻いたデンタルフロス３を、一方の枝部７の第１巻付用溝１７に巻き付ける。このとき、デンタルフロス３の案内溝１５の中の部分が、第１巻付用溝１７に巻き付けられた部分により、押さえ込まれることになる。【００２２】
手順４：図中（Ｄ）（ｄ）に示すように、この第１巻付用溝１７に巻き付けたデンタルフロス３を、二股部５に張り渡した後に、他方の枝部７の第２巻付用溝１９に巻き付ける。
手順５：図中（Ｅ）（ｅ）、（Ｆ）（ｆ）に示すように、この第２巻付用溝１９に巻き付けられたデンタルフロス３を、二股部５の略中央の係止用溝２１に係止させる。この時、係止用溝２１のうち図中（Ｅ）ハの字の右側のもの２１Ｂに係止し、折り返して左側のもの２１Ａに係止する。これにより、デンタルフロス３の張りの緩みを予防できる。【００２３】
手順６：図中（Ｇ）（ｇ）に示すように、係止用溝２１に係止したデンタルフロス３の終わりを、スリット１１にかませて止める。このときに、一旦、ホルダー９を一周させた後に、かませて止めることで、より緩みを防止できる。図中（Ｈ）（ｈ）に示すように、余ったデンタルフロス３の部分をカットして、完成する。【００２４】
（２本張り）
図３において、このデンタルフロスホルダーにデンタルフロス３を取り付ける方法であって、デンタルフロス３を２本張る方法を説明する。この説明において、デンタルフロスホルダーの部分の名称と符号は、図１を参照されたい。【００２５】
上述した１本張りの手順１〜手順５は同じで、その結果、図中（Ａ）（ａ）に示すようになる。そして、追加の手順として、
手順５−２：係止用溝２１に係止したデンタルフロス３を、再度、巻き付けがなされていない他の巻付用溝２１を使用して、前記手順３、手順４、手順５を行うことを１回繰り返す。すなわち、
繰り返しの手順３：図中（Ｂ）（ｂ）に示すように係止用溝２１に係止したデンタルフロス３を、図中（Ｃ）（ｃ）に示すように一方の枝部７の、未だ巻き付けがなされていない上側の第１巻付用溝１７に巻き付ける。【００２６】
繰り返しの手順４：図中（Ｄ）（ｄ）に示すように、この第１巻付用溝１７に巻き付けたデンタルフロス３を、二股部５に張り渡した後に、他方の枝部７の、未だ巻き付けがなされていない上側の第２巻付用溝１９に巻き付ける。
繰り返し手順５：図中（Ｅ）（ｅ）、（Ｆ）（ｆ）に示すように、この第２巻付用溝１９に巻き付けられたデンタルフロス３を、二股部５の略中央の係止用溝２１に重ねて係止させる。この時、係止用溝２１のうち図中（Ｅ）ハの字の右側のもの２１Ｂに係止し、折り返して左側のもの２１Ａに係止する。【００２７】
手順６は、同じである（図中（Ｇ）（ｇ）、（Ｈ）（ｈ））。
このようにして、デンタルフロス３の２本張りの取り付けが完成する。【００２８】
（３本張り）
図４において、このデンタルフロスホルダーにデンタルフロス３を取り付ける方法であって、デンタルフロス３を３本張る方法を説明する。この説明において、デンタルフロスホルダーの部分の名称と符号は、図１を参照されたい。
上述した１本張りの手順１〜手順５は同じである。そして、追加の手順として、
手順５−２：係止用溝２１に係止したデンタルフロス３を、再度、巻き付けがなされていない他の巻付用溝２１を使用して、前記手順３、手順４、手順５を行うことを２回繰り返す。そして、１回繰り返したところで、図４中（Ａ）（ａ）に示すように、図３（Ｅ）（ｅ）と同じ状態になる。
２回目の繰り返しの手順３：図中（Ｂ）（ｂ）、（Ｃ）（ｃ）に示すように、係止用溝２１に係止したデンタルフロス３を、一方の枝部７の、未だ巻き付けがなされていない最上側の第１巻付用溝１７に巻き付ける。【００２９】
２回目の繰り返しの手順４：図中（Ｄ）（ｄ）に示すように、この第１巻付用溝１７に巻き付けたデンタルフロス３を、二股部５に張り渡した後に、他方の枝部７の、未だ巻き付けがなされていない最上側の第２巻付用溝１９に巻き付ける。
２回目の繰り返し手順５：図中（Ｅ）（ｅ）、（Ｆ）（ｆ）に示すように、この第２巻付用溝１９に巻き付けられたデンタルフロス３を、二股部５の略中央の係止用溝２１に更に重ねて係止させる。この時、係止用溝２１のうち図中（Ｅ）ハの字の右側のもの２１Ｂに係止し、折り返して左側のもの２１Ａに係止する。【００３０】
手順６は、同じである（図中（Ｇ）（ｇ）、（Ｈ）（ｈ））。
このようにして、デンタルフロス３の３本張りの取り付けが完成する。【００３１】
（二重張り）
図５において、このデンタルフロスホルダーにデンタルフロス３を取り付ける方法であって、デンタルフロス３を二重に張る方法を説明する。この説明において、デンタルフロスホルダーの部分の名称と符号は、図１を参照されたい。
上述した１本張りの手順１〜手順５は同じで、その結果、図中（Ａ）（ａ）に示すようになる。そして、追加の手順として、
手順５−２：この係止用溝２１に係止したデンタルフロス３を用いて、再度、巻き付けが既になされている巻付用溝を使用して、前記手順３、手順４、手順５を行うことを繰り返す。ここでは、二重張りであるので１回繰り返す。すなわち、
繰り返しの手順３：図中（Ｂ）（ｂ）、（Ｃ）（ｃ）に示すように、係止用溝２１に係止したデンタルフロス３を、一方の枝部７の、既に巻き付けがなされている同じ第１巻付用溝１７に巻き付ける。【００３２】
繰り返しの手順４：図中（Ｄ）（ｄ）に示すように、この第１巻付用溝１７に巻き付けたデンタルフロス３を、二股部５に張り渡した後に、他方の枝部７の、既に巻き付けがなされている同じ第２巻付用溝１９に巻き付ける。
繰り返し手順５：図中（Ｅ）（ｅ）、（Ｆ）（ｆ）に示すように、この第２巻付用溝１９に巻き付けられたデンタルフロス３を、二股部５の略中央の係止用溝２１に重ねて係止させる。この時、係止用溝２１のうち図中（Ｅ）ハの字の右側のもの２１Ｂに係止し、折り返して左側のもの２１Ａに係止する。【００３３】
手順６は同じである（図中（Ｇ）（ｇ）、（Ｈ）（ｈ））。
このようにして、デンタルフロス３の二重張りの取り付けが完成する。【００３４】
（下顎用張り）
図６において、このデンタルフロスホルダーにデンタルフロス３を取り付ける方法であって、右利きの人が下顎の歯の掃除をするのに便利なようにデンタルフロス３を傾けて張る方法を説明する。この説明において、デンタルフロスホルダーの部分の名称と符号は、図１を参照されたい。傾けの方向は、図中の（Ｃ）〜（Ｈ）で右下がりである。【００３５】
上述した１本張りの手順１〜手順６はほぼ同じである。図１中の対応する手順の符号に合わせて図６の符号を付す。図６中に符号のない手順は、図１のものと同じであるので図示しない。追加の手順内容として、
手順３（図中（Ｃ））では、デンタルフロス３を、一方の枝部７の第１巻付用溝１７に巻き付ける際に、３本の第１巻付用溝１７のうち、低い位置の第１巻付用溝１７に巻き付ける。手順４（図中（Ｄ））では、デンタルフロス３を、他方の枝部７の第２巻付用溝１９に巻き付ける際に、３本の第２巻付用溝１９のうち、高い位置の第２巻付用溝１９に巻き付ける。
このようにして、デンタルフロス３の下顎用張りの取り付けが完成する。【００３６】
（上顎用張り）
図７において、このデンタルフロスホルダーにデンタルフロス３を取り付ける方法であって、右利きの人が上顎の歯の掃除をするのに便利なようにデンタルフロス３を傾けて張る方法を説明する。この説明において、デンタルフロスホルダーの部分の名称と符号は、図１を参照されたい。傾けの方向は、図中の（Ｃ）（Ｄ）（Ｈ）で右上がりである。【００３７】
上述した１本張りの手順１〜手順６はほぼ同じである。図１中の対応する手順の符号に合わせて図７の符号を付す。図７中に符号のない手順は、図１のものと同じであるので図示しない。追加の手順内容として、
手順３（図中（Ｃ））では、デンタルフロス３を、一方の枝部７の第１巻付用溝１７に巻き付ける際に、３本の第１巻付用溝１７のうち、高い位置の第１巻付用溝１７に巻き付ける。手順４（図中（Ｄ））では、デンタルフロス３を、他方の枝部７の第２巻付用溝１９に巻き付ける際に、３本の第２巻付用溝１９のうち、低い位置の第２巻付用溝１９に巻き付ける。
このようにして、デンタルフロス３の上顎用張りの取り付けが完成する。【００３８】
「実施形態の効果」
この実施形態によれば、第１巻付用溝及び第２巻付用溝１９は各々３本が形成され、デンタルフロス３を最大３本までの任意の本数を並べて張ることができる。このため、歯間のプラークなどを効率よく掃除できる。【００３９】
のみならず、スリット１１にデンタルフロス３の始めをかませて止め、デンタルフロス３を、案内溝１５に沿って一方の枝部７の頂部を通り縦全周に巻き、この一方の枝部７の第１巻付用溝１７に巻き付ける。よって、デンタルフロス３の始めは、スリット１１にかまされた上に、案内溝１５の中の部分が、第１巻付用溝１７に巻き付けられた部分により、押さえ込まれるので、より強固に止められる。【００４０】
また、二股部５に張り渡された後のデンタルフロス３は、二股部５の略中央のハの字の係止用溝２１に係止されることで、伸長方向を２回変えた後に、デンタルフロス３の終わりを、前記スリット１１にかませて止められる。よって、張りに緩みが生じにくいからより強固に取り付けられるとともに、上述したように、枝部７と８との間に張り渡される複数本のデンタルフロス３を同一平面上に揃えることが出来、結果として、用時に歯間に挿入しやすくなる。また、二股部５、枝部７、８には突起物が無いから、口内清掃のときの妨げが少ない。【００４１】
また、二重張りでは、デンタルフロス３は重ねて太く張ることができ、歯の間の大きな隙間に、対応できる。
また、第１巻付用溝及び第２巻付用溝１９は上下に各々３本が形成されるので、デンタルフロス３を傾けて張ることができ、右利き、あるいは左利きの人が、上顎あるいは下顎の歯の掃除をするのに便利なように、デンタルフロス３を傾けて張ることができる。【００４２】
「他の実施形態」
以上の実施形態では、第１巻付用溝及び第２巻付用溝１９の数は、それぞれ３本であったが、他の実施形態では、１本、２本、あるいは４本以上でも良い。
以上の実施形態では、係止用溝１５はハの字に２つ一組で形成されるものであったが、他の実施形態では、３つ以上で組になるものでも良く、あるいは１つでもよい。１つの時には、細く深い溝が好ましい。もしくは、係止用溝１５の代わりに突起を設けてもよく、突起は１つ、あるいは２つ以上でも良い。【００４３】
以上の実施形態では、フロスホルダー１の全体形状は、略Ｆ字形状であったが、他の実施形態では、略Ｙ字形状でもよい。この略Ｙ字の二股部５はコの字状とすることで、スリット１１を設け易くできる。
以上の図５の実施形態では、二重張りを説明したが、他の実施形態では、その他の多重張り、すなわち３本以上の多重張りとすることも、もちろん可能である。
【産業上の利用可能性】
【００４４】
本発明によれば、デンタルフロスホルダーを使い捨てにすることなく、デンタルフロスを強固かつ容易に張ることができ、歯科衛生の分野への寄与が大である。本発明の好適態様では、二股部と枝部に突起物が無いから歯間清掃の妨げになり難い。本発明の別の好適態様では、２つの枝部間に複数のデンタルフロスを同一平面上に張り渡すことが出来るから、歯間の大きさや形状に個人差があっても、歯間清掃のときにデンタルフロスを歯間に入れ易い。
本出願は、日本で２００７年１２月４日に出願された特願２００７−３１３１０８を基礎としており、その内容は本明細書にすべて包含されるものである。
【図１】
2009072277.tif 000003
【図２】
2009072277.tif 000004
【図３】
2009072277.tif 000005
【図４】
2009072277.tif 000006
【図５】
2009072277.tif 000007
【図６】
2009072277.tif 000008
【図７】
2009072277.tif 000009
【図８】
2009072277.tif 000010
【国際調査報告】
2009072277.tif 000011
2009072277.tif 000012
2009072277.tif 000013
2009072277.tif 000014